(57)【要約】【課題】本発明は、ダクタイル鋳鉄により継手を形成することで切削加工することなく複雑な形状であっても安価に継手を製造出来、溶接が困難なダクタイル鋳鉄からなる継手と鋼管とを容易に接合出来る継手と鋼管の接続構造の提供。【解決手段】鋼管３に接続される側のオスメス継手１，２の側面外周部にリング状溝４を形成し、そのリング状溝４に円弧状鉄片５を嵌挿し、嵌挿された円弧状鉄片５と鋼管３とを溶接６することによりオスメス継手１，２と鋼管３とを一体構造とした接続構造とする。【選択図】      図１
2005002599.tif 000002
【特許請求の範囲】
【請求項１】
ダクタイル鋳鉄により形成された継手と鋼管の接続構造であって、
鋼管に接続される側の前記継手の側面外周部にリング状溝を形成し、そのリング状溝に円弧状鉄片を嵌挿し、嵌挿された円弧状鉄片と前記鋼管とを溶接することにより前記継手と前記鋼管とを一体構造としてなることを特徴とする継手と鋼管の接続構造。
【請求項２】
前記円弧状鉄片は内径が異なる複数種類を用意し、前記継手の側面外周部に設けられるリング状溝は前記異なる複数種類の前記円弧状鉄片の内径に対応して異なる深さをもって形成し、そのリング状溝に適合する円弧状鉄片を挿入した後、該円弧状鉄片と前記鋼管とを溶接することにより前記継手と前記鋼管とを一体構造としてなることを特徴とする請求項１に記載の継手と鋼管の接続構造。
【請求項３】
前記継手をネジ式継手としたことを特徴とする請求項１または請求項２に記載の継手と鋼管の接続構造。
【請求項４】
前記ネジ式継手はオスネジまたはメスネジとしたことを特徴とする請求項３に記載の継手と鋼管の接続構造。
【請求項５】
前記鋼管は鋼管杭からなることを特徴とする請求項１〜４のいずれか１項に記載の継手と鋼管の接続構造。
【発明の詳細な説明】
【０００１】
【発明の属する技術分野】
本発明は、既製杭に用いられる継手の接続構造に関するものであり、詳しくはダクタイル鋳鉄製の継手と鋼管杭との接続構造に関するものである。
【０００２】
【従来の技術】
従来、鋼管杭に応用されるメカニカル継手については、種々のものが提案されている。以下、メカニカル継手の代表としてネジ式継手を例として説明する。特開平７−８２７３８号、特開平９−３８７５号に示されているものは、その代表的なものである。このようなネジ式メカニカル継手と鋼管杭との接続方法については、特開平１０−２５２０６０号、特開２０００−３４５５５８号にその一例が示されているように、ネジ式メカニカル継手と鋼管に開先を設けて溶接するか、ネジ式継手側に一体的に裏当て金を設けて開先を形成して、溶接して接続している。
【０００３】
【特許文献１】
特開平７−８２７３８号公報
【特許文献２】
特開平９−３８７５号公報
【特許文献３】
特開平１０−２５２０６０号公報
【特許文献４】
特開２０００−３４５５５８号公報
【０００４】
【発明が解決しようとする課題】
しかしながら、これらの例は、ネジ式メカニカル継手の鋼材と鋼管杭が直接溶接可能である場合に実施出来るもので、鋼管と直接溶接が困難な鋼材、ダクタイル鋳鉄でネジ式メカニカル継手を作成した場合には、適用しがたいものであった。即ち、鋼管と鋳鉄を直接溶接しようとすると、溶接後の割れや変形を防止するために熱処理等の特別な処理が必要となるなどの問題があった。
【０００５】
本発明は前記課題を解決するものであり、その目的とするところは、ダクタイル鋳鉄により継手を形成することで切削加工することなく複雑な形状であっても安価に継手を製造出来、溶接が困難なダクタイル鋳鉄からなる継手と鋼管とを容易に接合出来る接続構造を提案するものである。
【０００６】
【課題を解決するための手段】
前記目的を達成するための本発明に係る継手と鋼管の接続構造は、ダクタイル鋳鉄により形成された継手と鋼管の接続構造であって、鋼管に接続される側の前記継手の側面外周部にリング状溝を形成し、そのリング状溝に円弧状鉄片を嵌挿し、嵌挿された円弧状鉄片と前記鋼管とを溶接することにより前記継手と前記鋼管とを一体構造としてなることを特徴とする。
【０００７】
本発明は、上述の如く構成したので、継手をダクタイル鋳鉄で製作するため、切削加工によらずに複雑な形状を形成することが出来る。また、継手の側面外周部に形成したリング状溝に嵌挿された円弧状鉄片と鋼管とは容易に溶接出来るため、継手がダクタイル鋳鉄製であっても、特別な熱処理等を施すことなく鋼管と接続することが出来る。
【０００８】
また、前記円弧状鉄片は内径が異なる複数種類を用意し、前記継手の側面外周部に設けられるリング状溝は前記異なる複数種類の前記円弧状鉄片の内径に対応して異なる深さをもって形成し、そのリング状溝に適合する円弧状鉄片を挿入した後、該円弧状鉄片と前記鋼管とを溶接することにより前記継手と前記鋼管とを一体構造としてなる場合には、浅いリング状溝の突出部と、深いリング状溝に嵌挿された円弧状鉄片とが当接して係合し、鋼管に接続された杭、或いは鋼管自体からなる杭に作用する回転トルクを伝達することが出来る。
【０００９】
また、前記継手をネジ式継手としても容易に製造することが出来る。また、前記ネジ式継手はオスネジまたはメスネジとすることが出来る。また、本発明に係る継手と鋼管の接続構造は鋼管杭に継手を接続する際に適用することが出来る。
【００１０】
【発明の実施の形態】
図により本発明に係る継手と鋼管の接続構造の一実施形態を具体的に説明する。図１は本発明に係る継手と鋼管の接続構造によって接続されたオス継手、メス継手と鋼管を示した断面図、図２はメス継手、鋼管及び円弧状鉄片の関係を示した拡大断面図、図３は図１のＡ−Ａ断面図である。
【００１１】
図１において、鋼管３を接続するために、外周面にオスネジ１ａが形成されたオス継手１と、内周面にメスネジ２ａが形成されたメス継手２はダクタイル鋳鉄によって鋳造によりネジ式継手として形成されている。オスメス継手１，２は鋳造によるため鋳型を作ってしまえば切削加工によることなく、複雑な形状をしたネジ式継手を精度良く簡単に且つ安価に製造することが出来る。
【００１２】
鋼管３に接続される側のオスメス継手１，２の側面外周部には断面矩形状のリング状溝４が形成されている。本実施形態のリング状溝４は図３に示すように、内径の異なる複数種類の円弧状鉄片５のそれぞれの内径に対応して交互に異なる深さをもって形成されており、リング状溝４の円周を等分割した深いリング状溝４ａと浅いリング状溝４ｂとが交互に配列されている。
【００１３】
一方、リング状溝４の深さに対応する内径を有する円弧状鉄片５が複数種類用意されており、本実施形態では、深いリング状溝４ａに対応する内径と長さを有して幅の大きい円弧状鉄片５ａと、浅いリング状溝４ｂに対応する内径と長さを有して幅の小さい円弧状鉄片５ｂが用意されている。
【００１４】
そして、それぞれのリング状溝４に適合する円弧状鉄片５を挿入した後、各円弧状鉄片５と鋼管３とを溶接６することによりオスメス継手１，２と鋼管３とを一体構造とすることが出来る。
【００１５】
複数の円弧状鉄片５をリング状溝４に嵌挿した後は、図２に示すように、仮止め溶接７を行うことで、オスメス継手１，２のリング状溝４に円弧状鉄片５を嵌挿した状態で一部品として取り扱うことが出来る。
【００１６】
鋼管３の端部とこれに対向する円弧状鉄片５の部位にはそれぞれ開先部３ａ，５ｃが設けられており、更に円弧状鉄片５の鋼管３側には、該鋼管３の内面側に伸びる裏当て部５ｄが形成されている。
【００１７】
そして、円弧状鉄片５の裏当て部５ｄを鋼管３の内面側に突出した状態で開先部３ａ，５ｃを利用して円弧状鉄片５と鋼管３とを突合せ溶接６して該円弧状鉄片５と鋼管３とを接続する。
【００１８】
本実施形態では、図３に示すように、円弧状鉄片５が２種類の異なる内径を有し、リング状溝４がその異なる内径に適合するように形成され、円弧状鉄片５が回転移動することがないよう交互に嵌挿されている。
【００１９】
このように構成することにより、浅いリング状溝４ｂの突出部と、深いリング状溝４ａに嵌挿された幅の大きい円弧状鉄片５ａとが当接して係合し、鋼管３に杭が接続される場合や鋼管３自体が鋼管杭である場合、これ等の杭に作用する回転トルクを伝達することが出来る。
【００２０】
尚、前記実施形態では、ネジ式継手として構成されたオスメス継手と、鋼管杭との接続構造について説明したが、鋼管３とオスメス継手１，２とを接続した後に鋼管３内部にコンクリートを投入し、遠心成形等によって製造される外殻鋼管を有する鋼管コンクリート杭やコンクリート柱等を製造する場合の継手と鋼管の接続構造にも適用できる。
【００２１】
また、本発明は、ネジ式メカニカル継手以外の継手にも応用可能である。
【００２２】
【発明の効果】
本発明は、上述の如き構成と作用とを有するので、継手をダクタイル鋳鉄で製作するため継手が安価に製造出来、切削加工によらずに複雑な形状を形成することが出来る。このため簡易にダクタイル鋳鉄を使用出来ることで各種の継手が経済的に供給出来る。
【００２３】
また、ダクタイル鋳鉄という溶接が困難な継手の材質と鋼管を、直接溶接することなく接合出来るので継手の製造が簡単かつ経済的に出来る。継手の側面外周部に形成したリング状溝に嵌挿された円弧状鉄片と鋼管とは容易に溶接出来るため、継手がダクタイル鋳鉄製であっても、特別な熱処理等を施すことなく鋼管と接続することが出来る。
【００２４】
また、円弧状鉄片は内径が異なる複数種類を用意し、継手の側面外周部に設けられるリング状溝は異なる複数種類の円弧状鉄片の内径に対応して異なる深さをもって形成し、そのリング状溝に適合する円弧状鉄片を挿入した後、該円弧状鉄片と鋼管とを溶接することにより継手と鋼管とを一体構造としてなる場合には、浅いリング状溝の突出部と、深いリング状溝に嵌挿された円弧状鉄片とが当接して係合し、鋼管に接続された杭、或いは鋼管自体からなる杭に作用する回転トルクを伝達することが出来る。
【図面の簡単な説明】
【図１】本発明に係る継手と鋼管の接続構造によって接続されたオス継手、メス継手と鋼管を示した断面図である。
【図２】メス継手、鋼管及び円弧状鉄片の関係を示した拡大断面図である。
【図３】図１のＡ−Ａ断面図である。
【符号の説明】
１…オス継手
１ａ…オスネジ
２…メス継手
２ａ…メスネジ
３…鋼管
３ａ…開先部
４，４ａ，４ｂ…リング状溝
５，５ａ，５ｂ…円弧状鉄片
５ｃ…開先部
５ｄ…裏当て部
６…溶接
７…仮止め溶接
【図１】
2005002599.tif 000003
【図２】
2005002599.tif 000004
【図３】
2005002599.tif 000005